(57)【要約】【課題】  本発明は特に安価な手段でメダルの不正払出しを防止して「ホッパ−ゴト」の介入を防止することを目的とする発明に関するものである。【解決手段】  本発明は上記課題を解決するためになされたものである。即ち、本体基板等の指示に基づき、駆動モ−タ−を駆動して回転ディスクを回し、遠心力を利用してメダルを排出通路側に排出し、且つそのメダルを遊技機の払出口より遊技者に払出すようにしたメダル払出装置に於いて、排出通路入口部に駆動体を使って位置を可変する遮蔽板を設け、その遮蔽板でメダルの通過阻止若しくは許容を行なうと共に、上記遮蔽板の位置を検出し、その結果で駆動モ−タ−を駆動させる検出器を設けたものである。【選択図】図４
2010142622.tif 000002
【特許請求の範囲】
【請求項１】
本体基板等の指示に基づき、駆動モーターを駆動して、回転デイスクを回し、遠心力を利用してメダルを排出通路側に排出し、且つそのメダルを遊技機の払出口より遊技者に払出すようにしたメダル払出装置に於いて、排出通路入口部に、駆動体を使って位置を可変する遮蔽板を設け、その遮蔽板でメダルの通路阻止、若しくは許容を行なうと共に、上記遮蔽板の位置を検出し、その結果で駆動モーターを駆動させる検出器を設けたことを特徴とするメダル払出装置。
【請求項２】
遮蔽板の位置を可変する駆動体は可動鉄芯を有するソレノイドであり、このソレノイドは排出通路のメダル通過を許容させる時に、本体基板の指示を受け、該可動鉄芯を電磁石で吸引し、遮蔽板を排出通路に対し阻止から許容に可変させたことを特徴とする請求項１記載のメダル払出装置。
【請求項３】
検出器はフォトセンサーであり、その作動子は遮蔽板が排出通路のメダルの排出を許容した時、該検出器をオンするよう動作すると共に、本体基板はこの検出器のオン状態を確認して回転ディスクを回す駆動モーターの運転を指示するようにしたことを特徴とする請求項１記載のメダル払出装置。
【発明の詳細な説明】
【発明の詳細な説明】
【技術分野】
【０００１】  本発明は、スロットマシンなどのメダル遊技機のメダル払出装置に係わり「ホッパ−ゴト」の介入を防止するメダル払出装置に関するものである。
【背景技術】
【０００２】  現在のスロット遊技においては、コンピュ−タによる遊技管理が行なわれており、大当たり状態（特賞）に対する興味が遊技指向を高めている。
その反面短時間で特賞が多数回続くと、きわめて大きい利益を得ることが出来る為に各種の不正行為が行なわれる。【０００３】  この一つがメダル払出装置に対する「ホッパ−ゴト」である。これは各種の手段により、メダル払出装置に対して、特に払出手段に介入して回転ディスクを強制的に回転させてしまう手段である。【０００４】
【特許文献１】  特開２００２〜１４３３９１
【発明の開示】
【発明が解決しようとする課題】
【０００５】  この種の不正があると、ホ−ル側の経営に多大な損害を与えるばかりでなく、一般遊技者に対してスロットマシン遊技そのものの信頼性を損ない、業界全体の信用を崩すこととなる。【０００６】  本発明は特に安価な手段でメダルの不正払出しを防止して「ホッパ−ゴト」の介入を防止することを目的とする発明に関するものである。
【課題を解決するための手段】
【０００７】  本発明は上記課題を解決するためになされたものである。
即ち、本体基板等の指示に基づき、駆動モ−タ−を駆動して回転ディスクを回し排出通路に遠心力を利用してメダルを排出通路側に排出し、且つそのメダルを遊技機の払出口より遊技者に払出すようにしたメダル払出装置に於いて、排出通路入口部に駆動体を使って位置を可変する遮蔽板を設け、その遮蔽板でメダルの通過阻止若しくは許容を行なうと共に、上記遮蔽板の位置を検出し、その結果で駆動モ−タ−を駆動させる検出器を設けたものであるから、駆動モ−タ−の強制的駆動並びに遮蔽板の機械的移動が行われた時でも不要にメダルを払い出すことがないので、ホ−ル側の経営に多大な損害を与えることがないばかりでなく、スロットマシン遊技そのものの信頼性を損ない、業界全体の信用を崩すことがないものである。【０００８】  また、遮蔽板の位置を可変する駆動体は可動鉄芯を有するソレノイドであり、このソレノイドは排出通路のメダル通過を許容させる時に、本体基板の指示を受け、該可動鉄芯を電磁石で吸引し、遮蔽板を排出通路に対し阻止から許容に可変させたものであるから、遮蔽板の位置を一時的に排出通路許容側に移動させても、可動鉄芯が電気的に吸引されている訳でないので、可動鉄芯はねじりバネにより直ぐもとの位置に戻されてしまうので、結果として排出通路ではメダルの供給を受けることが出来ないものである。【０００９】  また、検出器はフォトセンサーであり、その作動子は遮蔽板が排出通路のメダルの排出を許容した時、該検出器をオンするよう動作すると共に、本体基板はこの検出器のオン状態を確認して回転ディスクを回す駆動モータ−の運転を指示するようにしたものである。
換言すると、上記駆動モ−タ−を運転するには遮蔽板の位置が問題となり、検出器での確認が前提となる。
従って従来の如く駆動モ−タ−を直接駆動しても、それは手順を踏んでいないとして異常表示、警報表示の対象となり「ホッパ−ゴト」の介入を許さないものである。【０００１０】  更に、フォトセンサーの作動子を遮蔽板と連動して動くようにしているので、安価なフォトセンサーを利用して確実な結果を得ることが出来るものである。
【発明の効果】
【００１１】  本発明によれば、特にメダルの不正払出しを確実に防止して「ホッパーゴト」の介入を阻止することが出来るものである。
【発明を実施するための最良の形態】
【００１２】  以下本発明の実施の形態を図面を参照しながら説明する。
尚、図１は本発明を備えたスロットマシン全体構成を説明する図であり、図２は図１のスロットマシンに使われる払出装置の概略構造図であり、図３は図２に示す払出装置の回転ディスクを中心に駆動モータ−、撹拌棒等を示した側面図である。
図４は図３で示したメダル払出部の正面図でメダル排出通路の入口が遮蔽板で阻止されている状態を示す図であり、図５は図４状態の駆動体並びに検出器を示す図であり、図６は図３で示したメダル払出部の正面図で、遮蔽板が動作し、メダルの通過を許容した状態を示す図であり、図７は遮蔽板が図６状態時の駆動体並びに検出器を示す図であり、図８は本発明を備えたスロットマシンのメダル排出手順を説明するフローチャートである。【００１３】  先ず、図１、図２に於いて、１はスロットマシン、このスロットマシン１はメダル投入口２から１〜３枚のメダルを投入してスタートレバー３を操作してスタートさせると、回胴（リール）４、４、４が回転する。そしてストップボタン５、５、５によりリール４、４、４、を停止させて、これらが揃った場合には入賞状態となり、本体基板６からの入賞信号に基づいて、払出ホッパー７を構成する駆動モータ−８が作動しホッパー９に貯留しておいたメダルを入賞の価値に応じ、回転ディスク１０を回転させ排出通路を経由して払出口１４、次いで受皿１２に払い出す。【００１４】  クレジット（貯留）遊技も可能であり、貯留しておいたメダルのうちから投入する一枚、二枚及び三枚のメダル数に応じてそれぞれ貯留メダル投入ボタン１１ａ、１１ｂ、１１ｃを選択的に押し、クレジット精算（貯留メダル精算）ボタン１３を押して精算するまで貯留するものである。従って、クレジット精算ボタン１３を押すまで払出口１４次いで受皿１２にはメダルが払い出されず、これを押した時、始めて入賞総数の価値に応じた枚数の貯留メダルが払出口１４、次いで受皿１２に払い出される。【００１５】  次に、先の払出ホッパー７に付いて説明する。
この払出ホッパー７は常に一定量のメダルを貯留するためのホッパー９とその下部に配置されるメダル払出ベース１５とその内部に設けられ複数の開口穴１０ａを有する回転ディスク１０と、該回転ディスク１０の駆動源である駆動モータ−８とメダルを前記複数の開口穴１０ａへ落下させるガイド棒１６等より構成されている。【００１６】  そして、前記ホッパー９内に貯留されたメダルは、先の駆動モータ−８により駆動される前記ガイド棒１６の撹拌作用により回転ディスク１０の上面に設けられた開口穴１０ａ（図４参照）へと落下し、次いで回転ディスク１０の回転駆動によりメダルは遠心力で排出通路１８へと搬送さえる仕組みになっている。
１７は回転ディスク１０の外周面を隙間無く覆う覆い板１７である。この覆い板１７も当然、払出ホッパー７を構成する部材の一つである。【００１７】  次に図３〜図７をもって、本発明の遮蔽板２０及び検出器２１に付いて説明する。
図に於いて、１８は排出通路を示す。この排出通路１８は回転ディスク１０内のメダルが遠心力で回転ディスク１０外に排出される場所を示している。
尚本発明を採用するメダル払出装置は上記した如く遠心力を利用して回転ディスク１０より排出通路１８にメダルを排出するメダル払出装置である。【００１８】  １９はカウンターである。このカウンター１９は回転ディスク１０より排出通路１８に押出されるメダル数を検出し、規定枚数のメダルが排出通路１８に排出された時、駆動モータ−８の回転駆動を停止させる旨の命令を本体基板６に送る。
２０は遮蔽板である。この遮蔽板２０は先の排出通路１８の入口部１８ａに設けられている。そしてこの遮蔽板２０は回転ディスク１０より遠心力でメダルを排出通路１８側に排出するか、排出しないかを決定する。【００１９】  即ち、上記遮蔽板２０が排出通路１８へのメダル排出を許容する時には、図６に示す如く排出通路１８の入口部１８ａを開放し、排出通路１８へのメダル排出を阻止する時には図４に示す如く、排出通路１８の入口部１８ａの一部を塞ぐものである。
換云すると、上記遮蔽板２０は払出ベース１５に設けられた移動溝２２内を回転ディスク１０がメダル排出を阻止するように移動するものである。【００２０】  この遮蔽板２０を移動させるのはソレノイド２３である。即ち、このソレノイド２３の可動鉄芯２３ａは駆動体たるソレノイド２３への通電があると、図５の状態にあるものが図７のようにねじりバネ２３ｂを圧縮してソレノイド２３内に電気的に吸着される。これに伴い遮蔽板２０は排出通路１８の入口部１８ａを開放する。【００２１】  また、ソレノイド２３への通電が終わると可動鉄芯２３ａはねじりバネ２３ｂのバネ力に負けて、図７の状態にあるものが図５の状態となる。このことによって遮蔽板２０は入口部１８ａを塞ぐ。そうするとメダルは回転ディスク１０から排出されず、回転ディスク１０内にあって回り続け不正な払い出しを防止する。【００２２】  また、この時可動鉄芯２３ａの動きを遮蔽板２０に伝達するのは移動溝２２内を移動する遮蔽板２０側に設けたラック２４ｂと可動鉄芯２３ａ側に設けたピニオン２４ａである。
即ち、本発明はこの可動鉄芯２３ａの往復運動を回転運動に変えるピニオン２４ａに伝え、更にこのピニオン２４ａが遮蔽板２０側に設けられたラック２４ｂに伝え往復運動に戻し、遮蔽板２０を図４から図７にそして図７から図４へとその位置を変えるものである。【００２３】  換云すると、入賞に合わせソレノイド２３を動作させ排出通路１８に設けた遮蔽板２０を動作させると言うことである。即ちメダルの通過を許容する時には排出通路１８の間口を、せばめない位置に、またメダルの通過を阻止する時には排出通路の間口を、せばめる位置とするものである。【００２４】  尚、上記ソレノイド２３への可動指示は駆動モ−タ８の駆動前に本体基板１８より出るものである。
またこのソレノイド２３への指示がないのにこのソレノイド２３が動作し排出通路１８を開放するようなことがあると本体基板６は異常動作等の表示、警報を行うよう構成されている。【００２５】  次に検出器２１について説明する。
この検出器２１は上記遮蔽板２０の位置を検出し、その結果で駆動モ−タ−８を駆動する。即ち、遮蔽板２０が排出通路１８の入口部１８ａを開放しメダルの通過を許容する状態（図６）に移動した時、駆動モ−タ−８を駆動する指示を本体基板に行なうのが検出器２１である。【００２６】  また、この検出器２１は図には示してないが、例えばフォトセンサ−で構成されている。この検出器２１の検出部は図５に示す如く板状の作動子２５が出入りして先のフォトセンサ−（検出部）をオン、オフさせる。【００２７】  尚、ここで云う作動子２５は上記遮蔽板２０と一体に構成されていても良い。この場合には、払出ベース１５を間にはさんで遮蔽板２０と作動子２５とは一体に動くこととなるので、遮蔽板２０が図４の如く、排出通路１８の入口部１８ａ側にある時には検出器２１をオフさせる。（光の通過を板状作動子で遮断）【００２８】  遮蔽板２０が図６の如く、排出通路１８の入口部１８ａ側にない時には検出器２１をオンさせていることとなる。この時には本体基板６、駆動モータ８のドライブ基板を介し、駆動モータ−８を駆動し、回転ディスク１０はメダルの払出しを行なう。【００２９】  また、上記作動子２５を遮蔽板２０と一体に作らない時には遮蔽板２０に連動して作動子２５が動作するようにしておけば良いものである。
更に、遮蔽板２０（作動子２５を含む）を動作させる駆動体とし、本願実施形態ではソレノイド２３を揚げ説明したが、これは小形モータ−等であっても良いことは云うまでもない。【００３０】  次に図８を用いて、本発明を備えた払出ホッパー７の動作をフローチャ−トを使って説明する。
先づスロットマシンに於いて入賞があると、この情報は本体基板６より遮蔽板２０を動作させる駆動体たるソレノイド２３に伝達される。伝達を受けたソレノイド２３は遮蔽板２０を排出通路１８の入口部１８ａを阻止から許容に変える。【００３１】  この遮蔽板２０の阻止から許容への変更が検出器２１（フォトセンサー）で確認されると、本体基板６は駆動モータ−８のドライブ基板に駆動モータ８の駆動を指示する。
この指示を受けた駆動モータ−８は回転ディスク１０を回動させる。
この回転ディスク１０の回動により、先にも説明した如く、ホッパー９内に貯留されたメダルがこの回転ディスク１０の上面に設けた開口穴１０ａを介し、遠心力で排出通路１８の入口部１８ａへと、案内され、カウンター１９を経由してスロットマシンの払出口１４、そして受皿１２へと、供給される。【００３２】  この過程でカウンター１９で払出しメダル数が規定枚数に達していることをカウントすると、カウンター１９は排出終了を検出し、駆動モータ−８の運転を停止させるべくリセットされ初期状態に戻る。【００３３】  次に、この制御動作をもつスロットマシンに於いて、従来課題で説明した「ホッパーゴト」の対応について説明する。
先づ、メダルの払出しが正常に行なわれている時の動作について、入賞があると、その情報が本体基板６に入り遮蔽板２０を移動させる。即ち、ソレノイド２３を動作させ遮蔽板２０をメダル排出阻止から許容に変える。
このメダル排出許容を検出器２１が検出すると、本体基板６、ドライブ基板を介して駆動モータ−８を駆動し回転ディスク１０を回動し、メダルの払出しを行なう。【００３４】  次に「ホッパーゴト」による不正動作があった時の対応について説明する。
「ホッパーゴト」が駆動モーター８のドライブ基板を強制的にショート等させ、駆動させた場合には、当然回転ディスク１０は回転するが、メダルは、排出通路１８の入口部１８ａが遮蔽板２０により阻止されていることより回転ディスク１０外に排出されないで回転ディスク１０内に留まる。【００３５】  次の例は、ドライブ基板をショートし駆動モータ−８を回動し、更に扉等を破り遮蔽板２０を機械的に阻止から許容に強制的に移動した「ホッパーゴト」の例である。
この場合当然回転ディスク１０は排出通路１８にメダルを払出す動作を行なう。しかし、ソレノイド２３の電磁石が可動鉄芯２３ａを吸引している訳ではないので遮蔽板２０はねじりバネ２３ｂによりすぐにメダル排出許容から阻止に戻ってしまう。
この為、「ホッパーゴト」はメダルの払出しを受けることは出来ないものである。【００３６】  また、遮蔽板２０を移動するソレノイド２３の吸引動作は本体基板６からの指示で行なわれる。
所が上記遮蔽板２０の移動は検出器２１の可動鉄芯２３ａを機械的に吸引側に移動させたことになるので、本体基板６は当然異常としてこれを表示する或いは警報を出すものである。
換言すると、遮蔽板２０と検出器２１は独立して動作するものであるから検出器２１が動作しないのに駆動モ−タ−８が駆動したとしても異常動作となり異常表示或いは警報が鳴り「ホッパーゴト」は失敗に終わる。【００３７】本発明は以上説明した如き構成を有するものであるから、次の如き効果が得られるものである。
即ち、本体基板等の指示に基づき、駆動モ−タ−を駆動して回転ディスクを回し遠心力を利用してメダルを排出通路側に排出し、且つそのメダルを遊技機の払出口より遊技者に払出すようにしたメダル払出装置に於いて、排出通路入口部に駆動体を使って位置を可変する遮蔽板を設け、その遮蔽板でメダルの通過阻止若しくは許容を行なうと共に、上記遮蔽板の位置を検出し、その結果で駆動モ−タ−を駆動させる検出器を設けたものであるから、駆動モ−タ−の強制的駆動並びに遮蔽板の機械的移動が行われた時でも不要にメダルを払い出すことがないので、ホ−ル側の経営に多大な損害を与えることがないばかりでなく、スロットマシン遊技そのものの信頼性を損ない、業界全体の信用を崩すことがないものである。【００３８】  また、遮蔽板の位置を可変する駆動体は可動鉄芯を有するソレノイドであり、このソレノイドは排出通路のメダル通過を許容させる時に本体基板の指示を受け、該可動鉄芯を電磁石で吸引し遮蔽板を排出通路に対し阻止から許容に可変させたものであるから、遮蔽板の位置を一時的に排出通路許容側に移動させても、可動鉄芯が電気的に吸引されている訳でないので、可動鉄芯はねじりバネにより直ぐもとの位置に戻されてしまうので、結果として排出通路ではメダルの供給を受けることが出来ないものである。【００３９】また、検出器はフォトセンサーであり、その作動子は遮蔽板が排出通路のメダルの排出を許容した時、該検出器をオンするよう動作すると共に、本体基板はこの検出器のオン状態を確認して回転ディスクを回す駆動モータ−の運転を指示するようにしたものである。
換言すると、上記駆動モ−タ−を運転するには遮蔽板の位置が問題となり、検出器での確認が前提となる。
従って従来の如く駆動モ−タを直接駆動しても、それは手順を踏んでいないとして異常表示、警報表示の対象となり「ホッパ−ゴト」の介入を許さないものである。
更に、フォトセンサーの作動子を遮蔽板と連動して動くようにしているので、安価なフォトセンサーを利用して確実な結果を得ることが出来るものである。
【図面の簡単な説明】
【００４０】
【図１】  本発明を備えたスロットマシン全体構成を説明する図である。
【図２】  図１のスロットマシンに使われる払出装置の概略構造図である。
【図３】  図２に示す払出装置の回転ディスクを中心に駆動モータ−撹拌棒等を示した側面図である。
【図４】  図３で示したメダル払出部の正面図でメダル排出通路の入口が遮蔽板で阻止されている状態を示す図である。
【図５】  図４状態の駆動体並びに検出器を示す図である。
【図６】  図３で示したメダル払出部の正面図で遮蔽板が動作し、メダルの通過を許容した状態を示す図である。
【図７】  遮蔽板が図６状態時の駆動体並びに検出器を示す図である。
【図８】  本発明を備えたスロットマシンのメダル排出手順を説明するフローチャートである。
【符号の説明】
【００４１】１      スロットマシン
２      メダル投入口
３      スタ−トレバ−
４      回胴（リール）
５      ストップボタン
６      本体基板
７      払出ホッパー
８      駆動モ−タ−
９      ホッパ−
１０    回転ディスク        １０ａ  開口穴
１１    投入ボタン（１１ａ、１１ｂ、１１ｃ）
１２    受皿
１３    クレジット精算ボタン
１４    払出口
１５    払出ベース
１６    ガイド棒
１７    覆い板
１８    排出通路            １８ａ  入口部
１９    カウンタ−
２０    遮蔽板
２１    検出器
２２    移動溝
２３    駆動体（ソレノイド）      ２３ａ  可動鉄芯      ２３ｂ  ねじりバネ
２４    ラックとピニオン    ２４ａ  ピニオン    ２４ｂ  ラック
２５    作動子
【図１】
2010142622.tif 000003
【図２】
2010142622.tif 000004
【図３】
2010142622.tif 000005
【図４】
2010142622.tif 000006
【図５】
2010142622.tif 000007
【図６】
2010142622.tif 000008
【図７】
2010142622.tif 000009
【図８】
2010142622.tif 000010